(57)【特許請求の範囲】
【請求項１】
空気と冷媒との間で熱を交換する空気−冷媒熱交換器と、
前記空気−冷媒熱交換器へ送風する送風機と、
前記冷媒を圧縮する圧縮機と、
前記送風機及び前記圧縮機の少なくとも一方を駆動するための電気部品を有する電気ユニットと、
を備えたヒートポンプ装置において、
前記電気ユニットは、
上面と、下面と、前記下面に取り付けられた前記電気部品とを有する電気回路基板と、
前記電気回路基板の少なくとも一部を下から覆う受け部を有する受け皿と、
前記電気回路基板及び前記受け皿を保持する骨格と、
前記骨格と前記受け皿の前記受け部との間に形成された、空気が通過可能な開口と、
前記電気回路基板から前記電気ユニットの外へ延びる電線と、
を備え、
前記電気回路基板と前記受け皿の前記受け部との間の空間は、前記電気ユニットの内部空間であり、
前記電気ユニットの前記内部空間は、前記開口を介して、前記電気ユニットの外に連通し、
前記受け皿は、前記電線を挟む挟持部を有し、
前記挟持部は、前記受け皿の側壁において前記電気ユニットの外側を向く面に設けられている、
ヒートポンプ装置。
【請求項２】
前記受け皿の前記受け部は、隆起したエッジを有する請求項１に記載のヒートポンプ装置。
【請求項３】
前記受け皿は、前記骨格に接触する第一接触部及び第二接触部を有し、
前記第一接触部は、前記骨格に対して前記受け皿を第一水平方向に関して位置決めし、
前記第二接触部は、前記骨格に対して前記受け皿を、前記第一水平方向と直交する第二水平方向に関して位置決めする請求項１または請求項２に記載のヒートポンプ装置。
【請求項４】
ネジを用いることなく前記受け皿が前記骨格に保持されている請求項１から請求項３のいずれか一項に記載のヒートポンプ装置。
【請求項５】
前記電気回路基板から前記開口を通って前記電気ユニットの外へ延びる電線を備える請求項１から請求項４のいずれか一項に記載のヒートポンプ装置。
【請求項６】
前記送風機を収納する第一室と、前記圧縮機を収納する第二室とを有する筐体を備え、
前記電気ユニットの前記内部空間は、前記第一室の内部空間に連通することなく、前記開口を介して前記第二室の内部空間に連通する請求項１から請求項５のいずれか一項に記載のヒートポンプ装置。
【請求項７】
前記電気ユニットは、前記開口と反対側の位置に形成された、空気が通過可能な第二開口を備え、
前記電気ユニットの前記内部空間は、前記第二開口を介して、前記電気ユニットの外に連通する請求項１から請求項６のいずれか一項に記載のヒートポンプ装置。
【請求項８】
前記電気ユニットは、
前記ヒートポンプ装置の外部からの電線が接続される端子を有する端子台と、
前記電気回路基板が発生した熱を散逸させるヒートシンクと、
を備え、
前記骨格は、
前記電気回路基板を保持する基板サポートと、
前記基板サポートに対して固定され、前記ヒートシンクを保持するヒートシンクサポートと、
前記基板サポートに対して固定され、前記端子台を保持する端子台サポートと、
を備え、
前記ヒートシンクサポート及び前記端子台サポートの少なくとも一方は、前記受け皿の重さを受ける受け部を有する、
請求項１から請求項７のいずれか一項に記載のヒートポンプ装置。
【請求項９】
前記基板サポートは、前記受け皿を水平方向に関して位置決めする位置決め部を有する請求項８に記載のヒートポンプ装置。
【請求項１０】
前記圧縮機で圧縮された前記冷媒と、水または他の液状熱媒体との間で熱を交換する熱交換器を備える請求項１から請求項９のいずれか一項に記載のヒートポンプ装置。
【発明の詳細な説明】
【技術分野】
【０００１】
本発明は、ヒートポンプ装置に関する。
【背景技術】
【０００２】
下記特許文献１に開示されたヒートポンプ装置は、以下の構成を有する。カッコ内は特許文献１での符号である。電装箱（２０）は、ヒートポンプユニット（１）を制御する制御基板（２１）を収容する。電装箱（２０）は、送風室（１６）内に配置される。特許文献１の［００２４］には『電解コンデンサ（２６）等の実装部品が制御基板（２１）から脱落しても、電装箱（２０）の内底部の金属製の受け皿（２７）に落下するため、・・・電装箱（２０）より下方にある他の機能部品に損傷を与えることがなく』との記載がある。特許文献１の［００２７］には『電装箱（２０）は耐燃性樹脂の成形品であるため、電装箱（２０）の隅部には隙間が生じず電装箱（２０）内に水が浸入する可能性がないため、電装箱（２０）を、風雨に当たる送風室（１６）側に配置することができる。』との記載がある。
【先行技術文献】
【特許文献】
【０００３】
【特許文献１】日本特開２０１０−３８４１９号公報
【発明の概要】
【発明が解決しようとする課題】
【０００４】
特許文献１に開示されたヒートポンプ装置には、以下の課題がある。風雨に当たる送風室（１６）側に配置された電装箱（２０）は密閉されているので、電装箱（２０）の内部は、熱がこもり、高温になりやすい。その結果、制御基板（２１）に設置された電気部品の寿命が短くなりやすい。【０００５】
本発明は、上述のような課題を解決するためになされたもので、電気回路基板から電気部品が脱落した場合でも他の部品の損傷を防止できるとともに、電気回路基板の周囲に熱がこもることを防止できるヒートポンプ装置を提供することを目的とする。
【課題を解決するための手段】
【０００６】
本発明のヒートポンプ装置は、空気と冷媒との間で熱を交換する空気−冷媒熱交換器と、空気−冷媒熱交換器へ送風する送風機と、冷媒を圧縮する圧縮機と、送風機及び圧縮機の少なくとも一方を駆動するための電気部品を有する電気ユニットと、を備えたヒートポンプ装置において、電気ユニットは、上面と、下面と、下面に取り付けられた電気部品とを有する電気回路基板と、電気回路基板の少なくとも一部を下から覆う受け部を有する受け皿と、電気回路基板及び受け皿を保持する骨格と、骨格と受け皿の受け部との間に形成された、空気が通過可能な開口と、電気回路基板から電気ユニットの外へ延びる電線と、を備え、電気回路基板と受け皿の受け部との間の空間は、電気ユニットの内部空間であり、電気ユニットの内部空間は、開口を介して、電気ユニットの外に連通し、受け皿は、電線を挟む挟持部を有し、挟持部は、受け皿の側壁において電気ユニットの外側を向く面に設けられているものである。
【発明の効果】
【０００７】
本発明によれば、電気回路基板から電気部品が脱落した場合でも他の部品の損傷を防止できるとともに、電気回路基板の周囲に熱がこもることを防止することが可能となる。
【図面の簡単な説明】
【０００８】
【図１】実施の形態１によるヒートポンプ装置を備えた貯湯式給湯システムの配管系統図である。
【図２】実施の形態１によるヒートポンプ装置の外観を示す斜視図である。
【図３】実施の形態１によるヒートポンプ装置の分解斜視図である。
【図４】実施の形態１によるヒートポンプ装置の電気ユニットの前面図である。
【図５】図４に示す電気ユニットの下面図である。
【図６】図４に示す電気ユニットが備える受け皿を斜め上から見た斜視図である。
【図７】図６に示す受け皿を斜め下から見た斜視図である。
【図８】図４に示す電気ユニットが備える基板サポートを斜め上から見た斜視図である。
【図９】図８に示す基板サポートを斜め下から見た斜視図である。
【図１０】図４に示す電気ユニットが備えるヒートシンク及びヒートシンクサポートを斜め上から見た斜視図である。
【図１１】図１０に示すヒートシンク及びヒートシンクサポートを斜め下から見た斜視図である。
【図１２】図４に示す電気ユニットが備える端子台サポートを斜め上から見た斜視図である。
【図１３】図１２に示す端子台サポートを斜め下から見た斜視図である。
【図１４】図４中のＹ−Ｙ線での断面図である。
【図１５】図１４中のＡ部の詳細を示す図である。
【図１６】図１４中のＢ部の詳細を示す図である。
【図１７】図５中のＸ−Ｘ線での断面図である。
【図１８】図１７中のＣ部の詳細を示す図である。
【図１９】図１７中のＤ部の詳細を示す図である。
【発明を実施するための形態】
【０００９】
以下、図面を参照して実施の形態について説明する。各図において共通する要素には、同一の符号を付して、重複する説明を簡略化または省略する。
【００１０】
実施の形態１．
図１は、実施の形態１によるヒートポンプ装置１を備えた貯湯式給湯システム９０の配管系統図である。図１に示すように、貯湯式給湯システム９０は、ヒートポンプ装置１と、タンクユニット９１とを備える。ヒートポンプ装置１は、室外に設置される。タンクユニット９１は、室外に設置されてもよいし、室内に設置されてもよい。
【００１１】
ヒートポンプ装置１は、圧縮機２、熱交換器３、第一膨張弁４ａ、第二膨張弁４ｂ、空気−冷媒熱交換器５、内部熱交換器６、及び送風機７を備える。ヒートポンプ装置１は、冷媒回路を備え、冷凍サイクルすなわちヒートポンプサイクルの運転を行う。圧縮機２は、低圧の冷媒ガスを圧縮する。冷媒は、例えば、二酸化炭素、アンモニア、プロパン、イソブタン、ＨＦＣなどのフロン、ＨＦＯ−１１２３、ＨＦＯ−１２３４ｙｆのいずれかでもよい。熱交換器３は、圧縮機２から吐出された高温高圧の冷媒と、水または他の液状熱媒体との間で熱を交換する。液状熱媒体は、例えば、塩化カルシウム水溶液、エチレングリコール水溶液、アルコール、などでもよい。
【００１２】
第一膨張弁４ａ及び第二膨張弁４ｂは、高圧冷媒を減圧して低圧冷媒にする減圧装置の例である。減圧された低圧冷媒は、気液二相の状態になる。空気−冷媒熱交換器５は、低圧冷媒と、大気の空気との間で熱を交換する熱交換器である。空気−冷媒熱交換器５において、低圧冷媒は、空気の熱を吸収することで蒸発する。送風機７が空気−冷媒熱交換器５へ送風することで、空気−冷媒熱交換器５での熱交換を促進できる。内部熱交換器６は、高圧通路及び低圧通路を備える。内部熱交換器６は、高圧通路を通る高圧冷媒と、低圧通路を通る低圧冷媒との間で熱を交換する。空気−冷媒熱交換器５で蒸発した低圧冷媒ガスは、内部熱交換器６の低圧通路を経由して、圧縮機２に吸入される。
【００１３】
本実施の形態における冷媒回路は、熱交換器３を通過した冷媒が内部熱交換器６の高圧通路を経由して空気−冷媒熱交換器５に至る第一経路８と、熱交換器３を通過した冷媒が内部熱交換器６を経由せずに空気−冷媒熱交換器５に至る第二経路９とを備える。第一膨張弁４ａは、内部熱交換器６の高圧通路の下流の第一経路８に設置されている。第二膨張弁４ｂは、第二経路９に設置されている。第一膨張弁４ａ及び第二膨張弁４ｂの開度を調整することで、熱交換器３から内部熱交換器６を経由して空気−冷媒熱交換器５に至る冷媒の流量と、熱交換器３から内部熱交換器６を経由せずに空気−冷媒熱交換器５に至る冷媒の流量との比率を変えることができる。
【００１４】
タンクユニット９１は、貯湯タンク９２、水ポンプ９３、流路切替弁９４、及びバイパス通路９５を備える。ヒートポンプ装置１とタンクユニット９１との間は、外部配管９６，９７を介して接続されている。
【００１５】
貯湯タンク９２内には、加熱前の水及び加熱後の湯が貯留される。貯湯タンク９２内には、温度による水の比重の違いにより、上側が高温で下側が低温の温度成層が形成される。貯湯タンク９２の上部には、例えば給湯栓、シャワー、浴槽などの端末へ給湯するための給湯管（図示せず）が接続される。貯湯タンク９２の下部には、水道などの水源からの水を供給する給水管（図示せず）が接続される。貯湯タンク９２から給湯するときには、給水管から貯湯タンク９２内に作用する水圧により貯湯タンク９２の上部の湯が給湯管へ送出される。給湯管へ流出した湯と同量の水が給水管から貯湯タンク９２内に流入することで、貯湯タンク９２内が満水状態に維持される。
【００１６】
貯湯タンク９２の下部は、導管を介して水ポンプ９３の入口につながる。水ポンプ９３の出口は、流路切替弁９４につながる。流路切替弁９４は、外部配管９６を介して、ヒートポンプ装置１の熱交換器３の水入口につながる。
【００１７】
貯湯式給湯システム９０は、ヒートポンプ装置１により加熱された湯を貯湯タンク９２内に流入させる蓄熱運転を実施できる。蓄熱運転のときには、以下のようになる。圧縮機２、送風機７、及び水ポンプ９３が運転される。貯湯タンク９２の下部から流出した水が、水ポンプ９３、流路切替弁９４、及び外部配管９６を通って、ヒートポンプ装置１の熱交換器３に流入する。この水は、熱交換器３にて冷媒により加熱されて湯になる。熱交換器３で加熱された湯の温度は、例えば、６５℃〜９０℃程度でもよい。熱交換器３から流出した湯は、外部配管９７を通ってタンクユニット９１に戻り、タンク上部管９８を通って貯湯タンク９２の上部に流入する。
【００１８】
流路切替弁９４は、水ポンプ９３から吐出された水が、ヒートポンプ装置１に代えてバイパス通路９５を通ってタンク上部管９８に流入する状態になるように流路を切り替え可能である。
【００１９】
なお、ヒートポンプ装置１の用途は、図示の例のような給湯用に限定されるものではない。ヒートポンプ装置１は、例えば、暖房用の液状熱媒体を加熱するものでもよい。例えば、ヒートポンプ装置１により加熱された液状熱媒体を、床下に設置される床暖房パネル、室内壁面に設置されるラジエータもしくはパネルヒーター、ファンコンベクターのうちの少なくとも一つの暖房器具へ供給してもよい。
【００２０】
図２は、実施の形態１によるヒートポンプ装置１の外観を示す斜視図である。図２に示すように、ヒートポンプ装置１は、フロントパネル１９、サイドパネル２０、トップパネル２１、グリル１２、及び脚部４１を備える。ヒートポンプ装置１は、脚部４１を介して、地面または床面に固定される。以下の説明では、各図面の理解を容易にするために、図２中の矢印のように、「上方向」、「前方向」、及び「右方向」を定める。そして、「上方向」の逆の方向を「下方向」とする。「前方向」の逆の方向を「後方向」とする。「右方向」の逆の方向を「左方向」とする。
【００２１】
図３は、実施の形態１によるヒートポンプ装置１の分解斜視図である。図３に示すように、ヒートポンプ装置１は、仕切板１６、電気ユニット１７、及び底板１８をさらに備える。底板１８、フロントパネル１９、サイドパネル２０、及びトップパネル２１は、ヒートポンプ装置１の筐体に相当する。ヒートポンプ装置１の筐体は、金属製が好ましい。仕切板１６及び電気ユニット１７は、ヒートポンプ装置１の筐体の内部に配置されている。底板１８は、ヒートポンプ装置１のベースに相当する。圧縮機２などの構成機器は、底板１８の上に搭載される。底板１８の下面に脚部４１が固定されている。
【００２２】
フロントパネル１９は、ヒートポンプ装置１の前面及び左側面を覆う。サイドパネル２０は、ヒートポンプ装置１の後面の一部及び右側面を覆う。トップパネル２１は、ヒートポンプ装置１の上面を覆う。
【００２３】
空気−冷媒熱交換器５は、ヒートポンプ装置１の後面の大部分と、左側面とを覆うように配置される。空気−冷媒熱交換器５とフロントパネル１９との間に送風機７が配置される。本実施の形態における送風機７は、プロペラファンを備える。ヒートポンプ装置１の筐体の内部空間は、仕切板１６により、第一室１４と第二室１５とに隔てられている。送風機７は第一室１４内に収納される。第二室１５には、圧縮機２及び冷媒配管等が配置される。送風機７の下にケース１３が配置されている。熱交換器３は、断熱材に覆われた状態で、ケース１３内に収納されている。
【００２４】
フロントパネル１９は、送風機７と対向する位置に開口を有する。この開口を覆うグリル１２がフロントパネル１９に取り付けられている。送風機７が運転されると、外部の空気が、空気−冷媒熱交換器５を通過して第一室１４に流入し、グリル１２を通ってヒートポンプ装置１の前方へ排出される。
【００２５】
電気ユニット１７の大部分は、第二室１５内の上部に位置する。電気ユニット１７の残りの部分は、第一室１４内の上部に位置する。電気ユニット１７は、圧縮機２及び送風機７の少なくとも一方を駆動するための電気部品を有する。典型的には、電気ユニット１７は、圧縮機２のモーター及び送風機７のモーターを駆動制御するインバータ電源等の電気部品を備えていてもよい。本実施の形態において電気ユニット１７は端子台を有する。外部の電気配線を接続する時に端子台が用いられる。サービスパネル２２がサイドパネル２０に対して着脱可能に取り付けられる。サービスパネル２２は、端子台を保護する。サービスパネル２２の下には、接続部カバー４２がサイドパネル２０に対して着脱可能に取り付けられる。接続部カバー４２は、外部配管９６，９７が接続される接続部（図示せず）を保護する。
【００２６】
図４は、実施の形態１によるヒートポンプ装置１の電気ユニット１７の前面図である。図５は、図４に示す電気ユニット１７の下面図である。これらの図に示すように、本実施の形態において電気ユニット１７は、受け皿２３、電気回路基板２４、基板サポート２５、ヒートシンク２６、ヒートシンクサポート２７、及び端子台サポート２８を備える。
【００２７】
以下の説明では、圧縮機２及び送風機７の少なくとも一方を駆動するための電気部品を単に「電気部品」と呼ぶ。電気回路基板２４は、その下面に取り付けられた電気部品を備える。電気回路基板２４は、その上面に取り付けられた他の電気部品を備えてもよい。電気回路基板２４は、基板サポート２５により保持されている。図４に示すように、受け皿２３は、電気回路基板２４の下に位置する受け部２３ａを有する。図５に示すように、受け部２３ａは、電気回路基板２４の少なくとも一部を下から覆う。
【００２８】
本実施の形態であれば、以下の効果が得られる。何らかの原因で電気回路基板２４から電気部品が脱落した場合であっても、その電気部品を受け皿２３の受け部２３ａが受け止めることができる。よって、脱落した電気部品がさらに下に落下して他の機器に損傷を与えるような事態を確実に防止できる。なお、電気ユニット１７を下から見たときに、受け皿２３の受け部２３ａは、電気回路基板２４のうちで、脱落の可能性のある電気部品が取り付けられた領域を覆っていればよい。電気ユニット１７を下から見たときに、電気回路基板２４が受け皿２３の受け部２３ａによって覆われていない部分が存在してもよい。
【００２９】
ヒートシンク２６は、電気回路基板２４が発生した熱を散逸させるための、複数の放熱フィンを備える。ヒートシンク２６は、ヒートシンクサポート２７により保持されている。ヒートシンクサポート２７は、基板サポート２５に対して固定されている。端子台サポート２８は、後述する端子台３４を保持する。端子台３４は、ヒートポンプ装置１の外部からの電線（図示省略）が接続される端子を有する。「ヒートポンプ装置１の外部からの電線」とは、例えば、ヒートポンプ装置１とタンクユニット９１とを接続する電気配線、あるいはヒートポンプ装置１に電力を供給する給電線である。
【００３０】
本実施の形態において基板サポート２５、ヒートシンクサポート２７、及び端子台サポート２８は、電気ユニット１７の骨格に相当する。当該骨格により、受け皿２３が保持される。図４に示すように、骨格である基板サポート２５と、受け皿２３の受け部２３ａとの間に、空気が通過可能な開口３０が形成される。電気回路基板２４と受け皿２３の受け部２３ａとの間の空間は、電気ユニット１７の内部空間３１である。電気ユニット１７の内部空間３１は、開口３０を介して、電気ユニット１７の外に、通気可能に連通する。これにより、以下の効果が得られる。電気回路基板２４が面する空間である、電気ユニット１７の内部空間３１に、熱がこもることを防止できる。電気回路基板２４の温度を低減できる。熱による電気回路基板２４の劣化を防止または軽減できる。電気回路基板２４の寿命が短くなることを防止できる。
【００３１】
図４において、境界線３２より左側の部分の電気ユニット１７は、第一室１４内に位置する。すなわち、ヒートシンク２６は、第一室１４内に位置する。これに対し、境界線３２より右側の部分の電気ユニット１７は、第二室１５内に位置する。すなわち、電気ユニット１７の開口３０は、第二室１５内に位置する。第一室１４内には送風機７により送風された空気が流れる。その空気の流れによってヒートシンク２６からの熱の散逸を促進できる。
【００３２】
電気ユニット１７の内部空間３１は、第一室１４の内部空間に連通しない。電気ユニット１７の内部空間３１は、開口３０を介して、第二室１５の内部空間に、通気可能に連通する。第一室１４内には、汚れ及び雨水が空気と共に外部から侵入する。第二室１５は、外部からの汚れ及び雨水が侵入しないように覆われている。電気ユニット１７の内部空間３１は第一室１４の内部空間に連通しないので、第一室１４内の汚れ及び雨水が電気ユニット１７の内部空間３１に侵入することを防止できる。このため、本実施の形態であれば、汚れ及び雨水が電気回路基板２４に付着することを確実に防止できる。
【００３３】
開口３０は、電気ユニット１７の前面に形成されている。図５に示すように、本実施の形態において電気ユニット１７は、開口３０と反対側の位置に形成された、空気が通過可能な第二開口３３を備える。第二開口３３は、電気ユニット１７の後面に形成されている。電気ユニット１７の内部空間３１は、第二開口３３を介して、電気ユニット１７の外に、通気可能に連通する。本実施の形態であれば、電気ユニット１７の内部空間３１の空気が、開口３０及び第二開口３３を通って一方向に流れることができるので、電気ユニット１７の内部空間３１に熱がこもることをより確実に防止できる。
【００３４】
電気ユニット１７は、電気回路基板２４から電気ユニット１７の外へ延びる電線２９を備える。受け皿２３は、電線２９を挟む挟持部２３ｂを有する。挟持部２３ｂは、受け皿２３の側壁から突出する。本実施の形態であれば、挟持部２３ｂを設けたことで、電線２９を適正な位置に容易に組み付けることができる。電線２９は、電気回路基板２４から開口３０を通って電気ユニット１７の外へ延びる。本実施の形態であれば、開口３０を形成したことで、電線２９を電気ユニット１７の外へ延ばして組み付ける作業を容易に行うことができる。
【００３５】
図６は、図４に示す電気ユニット１７が備える受け皿２３を斜め上から見た斜視図である。図７は、図６に示す受け皿２３を斜め下から見た斜視図である。これらの図に示すように、受け皿２３の受け部２３ａは、水平な受け面を有する。図示の例のように、受け皿２３の受け部２３ａの一部に、段差及び傾斜面などが形成されていてもよい。本実施の形態における受け皿２３は、難燃性を有するプラスチックで作られている。これに代えて、受け皿２３の少なくとも一部を金属製にしてもよい。
【００３６】
図６に示すように、受け皿２３の受け部２３ａは、隆起したエッジ２３ｃを有する。隆起したエッジ２３ｃは、受け部２３ａの周囲の大部分に形成されている。本実施の形態であれば、電気回路基板２４から受け皿２３の受け部２３ａへ落ちた電気部品が、受け部２３ａの外へ出てしまうことを、隆起したエッジ２３ｃによって確実に防止できる。
【００３７】
図６に示すように、受け皿２３は、前方向へ突出する突出部２３ｄと、後方向へ突出する突出部２３ｅと、上方向へ突出する突出部２３ｆとを備える。突出部２３ｆは、前部と後部とにそれぞれ形成されている。図７に示すように、受け皿２３は、受け部２３ａの下面から下方向へ突出する突出部２３ｇを備える。図示の例では、一対の突出部２３ｇが前後方向に並んでいる。受け皿２３の右部分には、湾入部２３ｈが形成されている。受け皿２３は、湾入部２３ｈの縁から前方向へ突出する突出部２３ｉと、湾入部２３ｈの縁から後方向へ突出する突出部２３ｊとを備える。突出部２３ｉと突出部２３ｊとは、湾入部２３ｈを介して対向した位置にある。突出部２３ｄ，２３ｅ，２３ｆ，２３ｇ，２３ｉ，２３ｊの機能については後述する。図５に示すように、電気ユニット１７においては受け皿２３の湾入部２３ｈに端子台サポート２８が入り込む。
【００３８】
図８は、図４に示す電気ユニット１７が備える基板サポート２５を斜め上から見た斜視図である。図９は、図８に示す基板サポート２５を斜め下から見た斜視図である。図８に示すように、基板サポート２５は、平面視で実質的に長方形の外枠部２５ａと、上面を覆う上面部２５ｂとを有する。
【００３９】
図９に示すように、基板サポート２５は、電気回路基板２４を固定するための固定構造２５ｃを備える。電気回路基板２４は、外枠部２５ａの内側の位置、かつ上面部２５ｂの下側の位置に固定される。基板サポート２５は、受け皿２３の一対の突出部２３ｆの先端部を受け入れるための一対の凹部２５ｄを備える。図９では、そのうちの前側の凹部２５ｄのみが見えており、後側の凹部２５ｄは隠れていて見えない。基板サポート２５は、ヒートシンクサポート２７を固定するための一対の固定部２５ｅを備える。基板サポート２５は、端子台サポート２８を固定するネジを受け入れるための一対の穴２５ｆを備える。本実施の形態における基板サポート２５は、難燃性を有するプラスチックで作られている。これに代えて、基板サポート２５の少なくとも一部を金属製にしてもよい。
【００４０】
図１０は、図４に示す電気ユニット１７が備えるヒートシンク２６及びヒートシンクサポート２７を斜め上から見た斜視図である。図１１は、図１０に示すヒートシンク２６及びヒートシンクサポート２７を斜め下から見た斜視図である。これらの図に示すように、ヒートシンクサポート２７は、前から見て、逆さまのＬ字型の形状を有する。ヒートシンクサポート２７は、基板サポート２５の固定部２５ｅと係合するための一対のスリット孔２７ａを有する。基板サポート２５の固定部２５ｅの内壁から突出するツメが、ヒートシンクサポート２７のスリット孔２７ａに嵌合することで、ヒートシンクサポート２７が基板サポート２５に対して固定される。
【００４１】
図１０に示すように、ヒートシンクサポート２７は、前方向に突出する突出部２７ｂと、下方向に突出する突出部２７ｃと、受け部２７ｄとを備える。本実施の形態におけるヒートシンクサポート２７は、薄い金属板を用いて作られている。
【００４２】
図１２は、図４に示す電気ユニット１７が備える端子台サポート２８を斜め上から見た斜視図である。図１３は、図１２に示す端子台サポート２８を斜め下から見た斜視図である。本実施の形態における端子台サポート２８は、薄い金属板を用いて作られている。端子台サポート２８には、端子台３４が取り付けられている。図１２に示すように、端子台サポート２８は、ネジを通すための一対の貫通孔２８ａを有する。貫通孔２８ａに通したネジを、基板サポート２５の穴２５ｆに対して締め込むことで、端子台サポート２８が基板サポート２５に対して固定される。
【００４３】
端子台サポート２８は、受け部２８ｃ及び受け部２８ｄを備える。受け皿２３の突出部２３ｉ及び突出部２３ｊ（図７参照）が、それぞれ、端子台サポート２８の受け部２８ｃ及び受け部２８ｄの上に載ることで、受け皿２３の重さの一部を端子台サポート２８によって支えることができる。
【００４４】
図１４は、図４中のＹ−Ｙ線での断面図である。なお、図１４では、電気回路基板２４の下面に取り付けられた、脱落する可能性のある電気部品の図示を省略している。図１５は、図１４中のＡ部の詳細を示す図である。図１６は、図１４中のＢ部の詳細を示す図である。図１５に示すように、受け皿２３の突出部２３ｄが、ヒートシンクサポート２７の内壁２７ｅに接触することで、受け皿２３がヒートシンクサポート２７に対して前方向へ移動することが防止される。図１６に示すように、受け皿２３の突出部２３ｅが、ヒートシンクサポート２７の突出部２７ｂに接触することで、受け皿２３がヒートシンクサポート２７に対して後方向へ移動することが防止される。これらの構成によれば、ネジを用いることなく、ヒートシンクサポート２７に対して受け皿２３を前後方向に関して確実に位置決めできる。本実施の形態において突出部２３ｄ及び突出部２３ｅは、骨格であるヒートシンクサポート２７に対して受け皿２３を、第一水平方向すなわち前後方向に関して位置決めする、第一接触部に相当する。
【００４５】
図１７は、図５中のＸ−Ｘ線での断面図である。図１７に示すように、受け皿２３の左端部がヒートシンクサポート２７の受け部２７ｄの上に載ることで、受け皿２３の重さの一部をヒートシンクサポート２７によって支えることができる。受け皿２３の右の部分は、前述したようにして、端子台サポート２８によって重さを支えられている。これらの構成によれば、ネジを用いることなく、骨格である基板サポート２５、ヒートシンクサポート２７、及び端子台サポート２８が、受け皿２３の重さを確実に支えることができる。
【００４６】
図１８は、図１７中のＣ部の詳細を示す図である。なお、図１８では、電気回路基板２４の下面に取り付けられた、脱落する可能性のある電気部品の図示を省略している。図１９は、図１７中のＤ部の詳細を示す図である。図１８に示すように、受け皿２３の突出部２３ｇが、ヒートシンクサポート２７の突出部２７ｃに接触することで、受け皿２３がヒートシンクサポート２７に対して左方向へ移動することが防止される。図１９に示すように、受け皿２３の突出部２３ｆの先端部が、基板サポート２５の凹部２５ｄに差し込まれることで、受け皿２３が基板サポート２５に対して右方向へ移動することが防止される。
【００４７】
本実施の形態において突出部２３ｇ及び突出部２３ｆは、骨格である基板サポート２５及びヒートシンクサポート２７に対して受け皿２３を、第二水平方向に関して位置決めする、第二接触部に相当する。第二水平方向は、第一水平方向と直交する方向である。本実施の形態において左右方向が第二水平方向に相当する。基板サポート２５の凹部２５ｄは、受け皿２３を水平方向に関して位置決めする位置決め部に相当する。
【００４８】
本実施の形態では、受け皿２３は、ネジを用いることなく、骨格である基板サポート２５、ヒートシンクサポート２７、及び端子台サポート２８に保持されている。このため、組み立てるときに、手作業で容易に受け皿２３を電気ユニット１７に取り付けることができる。その際に、上述した第一接触部、第二接触部、位置決め部を設けたことで、ネジを用いることなく、骨格に対して受け皿２３を、適正な位置に、容易かつ確実に位置決めできる。
【符号の説明】
【００４９】
１  ヒートポンプ装置、  ２  圧縮機、  ３  熱交換器、  ５  空気−冷媒熱交換器、  ７  送風機、  １４  第一室、  １５  第二室、  １６  仕切板、  １７  電気ユニット、  ２３  受け皿、  ２３ａ  受け部、  ２３ｂ  挟持部、  ２３ｃ  隆起したエッジ、  ２３ｄ，２３ｅ，２３ｆ，２３ｇ，２３ｉ，２３ｊ  突出部、  ２４  電気回路基板、  ２５  基板サポート、  ２５ｄ  凹部、  ２５ｅ  固定部、  ２５ｆ  穴、  ２６  ヒートシンク、  ２７  ヒートシンクサポート、  ２７ｂ，２７ｃ  突出部、  ２７ｄ  受け部、  ２８  端子台サポート、  ２８ａ  貫通孔、  ２８ｃ，２８ｄ  受け部、  ２９  電線、  ３０  開口、  ３１  内部空間、  ３２  境界線、  ３３  第二開口、  ３４  端子台、  ９０  貯湯式給湯システム、  ９２  貯湯タンク、  ９３  水ポンプ、  ９４  流路切替弁、  ９５  バイパス通路
【図１】
0006787477.tif 000002
【図２】
0006787477.tif 000003
【図３】
0006787477.tif 000004
【図４】
0006787477.tif 000005
【図５】
0006787477.tif 000006
【図６】
0006787477.tif 000007
【図７】
0006787477.tif 000008
【図８】
0006787477.tif 000009
【図９】
0006787477.tif 000010
【図１０】
0006787477.tif 000011
【図１１】
0006787477.tif 000012
【図１２】
0006787477.tif 000013
【図１３】
0006787477.tif 000014
【図１４】
0006787477.tif 000015
【図１５】
0006787477.tif 000016
【図１６】
0006787477.tif 000017
【図１７】
0006787477.tif 000018
【図１８】
0006787477.tif 000019
【図１９】
0006787477.tif 000020